(57)【要約】      （修正有）【課題】症状に合わせて押圧力を変更しやすく、使い勝手の良い鼠径ヘルニア用ベルトを提供する。【解決手段】腰に巻き付けたウェストベルト１０と、股下を通して患者の背部でウェストベルトに繋がれる股下ベルト２１，２２によって腹部面板３を患者の下腹部に固定する。腹部面板は鼠径部を含む下腹部を広く覆っており、患部が左右どちらに有っても対応できる。腹部面板の内側に患部を押圧する押さえパッド４を面ファスナーで、患部の位置に合わせて接着する。押さえパッドは袋状に作り、内部に一つ以上のスポンジ板を配置した構造であり、内部のスポンジ板の厚み、硬度を変えることで、症状や患者の好みに合わせて押圧力の範囲や強さを変えることができる。【選択図】図１
0003185127.tif 000002
【実用新案登録請求の範囲】
【請求項１】
腹部面板、押さえパッド、ならびに該腹部面板を固定するベルトからなり、
該腹部面板を固定するベルトは該腹部面板を患者の下腹部に固定し、
該腹部面板は、下腹部に固定したとき、左右両側の鼠蹊部を覆う大きさがあり、
該腹部面板の内側には平面視で楕円形ないし円形、もしくは自由な形の一つ又は二つの該押さえパッドを固定設置し、
該押さえパッドの該腹部面板内における設置位置は患部に合わせて調整が可能であり、
該押さえパッドの厚さならびに硬さは、該押さえパッドの内側に挿置する一つ以上のスポンジ板の厚さならびに硬度を変えて調整が可能な構造であることを特徴とする鼠径ヘルニア用ベルト。
【請求項２】
請求項１に示した鼠径ヘルニア用ベルトであって、
該腹部面板を固定するベルトは、ウェストベルト、左右の股下ベルトで構成され、
該ウェストベルトは、その両端を該腹部面板の左右の端部において固定されて、腰部に巻き付けられており、
左右の該股下ベルトは、それぞれ該腹部面板の左右の下端部と、該ウェストベルトの背部の２か所を、股下を通して繋いだ構造であることを特徴とする鼠径ヘルニア用ベルト。
【考案の詳細な説明】
【技術分野】
【０００１】
本考案は、鼠径ヘルニア用ベルトに関する。とくに、ヘルニアを押さえ付ける力や範囲を簡易に変更できる鼠径ヘルニア用ベルトに関する。
【背景技術】
【０００２】
鼠径ヘルニアで腸がはみ出して患部が膨らんできた場合には、腸がはみ出さないように鼠径ヘルニア用ベルトを装着して膨らんだ部分を押さえ付けておく必要がある。
従来、鼠径ヘルニアの症状を緩和するためのベルトについて各種の構造が提案されている。
【０００３】
一例は、腰の周りを１周するベルトと、腹部に対向する保護版を組み合わせて、保護版によって患部が膨らむのを抑えこんで、病状の進行を停止させ、痛みなどを抑える効果を狙ったものである。（特許文献１）。
【０００４】
この例は、患部を円錐形で抑える従来の技術では患者に苦痛を与えるため、患部接点を広面積に変えて、建康な腹部の圧力と等しい圧力を患部及びその周辺に保つ様努め、患部を含めた腹部一帶の腹圧の均衡を保つべく工夫したものであるが、患部を押圧する力が分散され、膨らみを抑制しにくかった。
【０００５】
別の例として、ベルトを相互に接続する金具を接続したゴム製の押圧部を用いて、着脱を容易かつ確実にして、鼠径ヘルニヤの患部を押圧する構造が提案されている。（特許文献２）
【０００６】
この技術は、三角形のゴムの中心部を円形の凸状押圧部とし、その押圧部で患部を押さえることを狙ったものであるが、ベルトの長さや、装着のたびに押圧部と患部の位置を合わせるのが面倒で、また装着後も患者の体の動きによって位置ずれしやすかった。
【先行技術文献】
【特許文献】
【０００７】
【特許文献１】登録実用新案第３０３３１６７号
【特許文献２】登録実用新案第３１５３９０９号
【考案の概要】
【考案が解決しようとする課題】
【０００８】
鼠径ヘルニヤの症状の進行を止め、患者の苦痛を抑えるように患部を確実に押圧できて、同時に着装しやすく、ずれにくく、付け心地の良い鼠径ヘルニヤ用ベルトを提供することが課題である。
【課題を解決するための手段】
【０００９】
本考案は、
ウェストベルト、左右の股下ベルト、腹部面板、ならびに押さえパッドからなり、
該ウェストベルトは、その両端を該腹部面板の左右の端部において固定されてあり、腰部に巻き付けられて、もって該腹部面板を下腹部の位置に固定し、
左右の該股下ベルトは、それぞれ該腹部面板の左右の下端部と、該ウェストベルトの背部の２か所を、股下を通して繋いで、該腹部面板を下腹部に固定するのを助け、
該腹部面板は、左右両側の鼠径部を覆う大きさがあり、
該腹部面板の内側には平面視で楕円形ないし円形、もしくは自由な形の該押さえパッドを一つ又は二つ固定設置し、
該押さえパッドの該腹部面板内における設置位置は患部に合わせて調整が可能であり、
該押さえパッドの厚さならびに硬さは、該押さえパッドの内側に挿置する１つ以上のスポンジ板の厚さならびに硬度を変えて調整が可能な構造であることを特徴とする鼠径ヘルニア用ベルトである。
【考案の効果】
【００１０】
本考案によれば、患部を確実に押圧できて、押圧力を容易に変更できて、同時に着装しやすく、ずれにくく、付け心地の良い鼠径ヘルニア用ベルトを提供できる。
【図面の簡単な説明】
【００１１】
【図１】鼠径ヘルニアベルトの着装状態をしめす見取図
【図２】押さえパッドの見取図
【図３】腹部面板を面の方向からみた図
【考案を実施するための形態】
【実施例１】
【００１２】
図１〜３を参照して、実施例を説明する。
図１は、本考案による鼠径ヘルニアベルト１の着装状態を正面から見た場合を示す見取図である。長い破線で描かれているのは人体のシルエットである。図１で見て取れるように、鼠径ヘルニア用ベルト１は、ウェストベルト１０、右股下ベルト２１、左股下ベルト２２、腹部面板３、ならびに押さえパッド４で構成される。
【００１３】
腹部面板３は患者の鼠径部を含む下腹部を覆う大きさが有り、下腹部に押し当てられており、腰部に巻きつけられたウェストベルト１０によって患者に固定される。左右どちらに患部が有っても対応が可能である。
【００１４】
ウェストベルト１０の両端はそれぞれ腹部面板３の左右の端に設置されたウェストベルト係止部１１を通った後、折り返されるウェストベルト折り返し部１２の外側面（肌に触れない側）に縫い付けられたマジックテープ（登録商標）でウェストベルト１０の外側面に接着して、固定される。
【００１５】
ウェストベルト折り返し部１２の長さを調整することにより、患者の体格に合わせることができる。
【００１６】
左右の股下ベルト２１ならびに２２は、腹部面板３の左右の下端部と、ウェストベルト１０の背部を、それぞれ股下を通して繋いでおり、腹部面板３が浮き上がるのを抑えて、患者の下腹部に固定するのを助けている。
【００１７】
股下ベルト２１ならびに２２は、股下ベルト係止部２３によって腹部面板３の２ヶ所および股下ベルト係止部２４によってウェストベルト１０の背部の２ヶ所にそれぞれ結合されている。股下ベルト２１ならびに２２は、それぞれの各股下ベルト係止部２３を通して折り返される股下ベルト折り返し部２５の外側面に縫い付けられたマジックテープ（登録商標）が股下ベルト２１ならびに２２の外側面に接着して固定される。
【００１８】
２つの股下ベルトの折り返し部２５の長さを調整することにより、患者の体格に合わせることができる。
【００１９】
腹部面板３は芯地などを薄いプラスチック材料、皮革材料や織布材料などで縁取りして製作され、やや硬さを有する。ただし、これに限定されず、柔軟な布地などであってもよい。腹部面板３の肌に触れる内側面は肌触りが良く、また同時にマジックテープ（登録商標）（登録商標）の雄面が接着できるようにパイル状になっている。
【００２０】
ウェストベルト１０の肌に当たる内側面は肌触りが良いように綿パイルなどの織布材料で製作される。また、外側面はマジック織として、同じ外側面に取り付けたマジックテープ（登録商標）の雄面が接着できるようにする。ただし、材料は綿パイルに限定するものではない。
【００２１】
左右の股下ベルト２１ならびに２２は、ウェストベルト１０と同様の材料で製作される。外側面をマジック織とするのも同様である。
【００２２】
図２は押さえパッド４の見取図である。図２（ａ）は皮膚に当たる面が紙面と平行であるように示した図（これを平面視と呼ぶ）であり、図２（ｂ）は皮膚に当たる面が紙面と垂直であるように示した図（これを側面視と呼ぶ）である。
【００２３】
図２に示すように、押さえパッド４は平面視で楕円形をなし、側面視で厚さがｄである。押さえパッド４は２つの楕円形と１つの幅ｄの長方形の織布材料を縫い合わせて製作されて、内部が空の袋状になっている。図２（ａ）に示すように、片側の楕円形面は２つに分割されて、一部が重なったうちあわせ部４１を構成している。
【００２４】
押さえパッド４には、外側からうちあわせ部４１を開いて、うちあわせ部４１を入口として袋状になっている内側に、押さえパッド４の外形より若干小さいスポンジ板４３を挿入して設置することができる。
【００２５】
スポンジ板４３は１枚または複数枚を押さえパッド４が作る袋の内側に挿入して設置することができる。本実施例では、３枚のスポンジ板４３を設置してある。
【００２６】
また、押さえパッド４を腹部面板３に接着するために、図２（ａ）に示すように、うちあわせ部４１のある側に、マジックテープ（登録商標）からなる押さえパッド接着部４２が縫い付けられている。
【００２７】
図３は腹部面板３を面板と平行な方向からみた図である。押さえパッド４は、図２に示したマジックテープ（登録商標）の雄面からなる押さえパッド接着部４２を使って、腹部面板３の内側面（図３で上側）に、固定される。（なお、図３では、煩雑を避けて、ウェストベルト１０ならびに股下ベルト係止部２３は省略してある。）すなわち、患者に取り付けた時、外側から順に、腹部面板３、押さえパッド４、患者の腹部となる。
【００２８】
このとき、押さえパッド４のうちあわせ部４１の２つの部分が同時に接着され、また腹部面板３と押さえパッド４の間の接着面に隠されるので、内部に設置したスポンジ板４３が不用意に外に出ることが無い。
【００２９】
図１に示す本実施例では、患者の右側（図１で見たとき左側に）の下腹部に、患部に対向する位置を選んで、１つの押さえパッド４が取り付けられている。
【００３０】
腹部面板３は、患者の下腹部の一定位置に固定できるので、押さえパッド４を腹部面板３に固定する位置が一定であれば、押さえパッド４の患者の下腹部に対する位置も常に一定である。これは、ベルトの長さによって位置合わせをする方法より面倒がなく、使い易い。
【００３１】
押さえパッド４の内側に設置したスポンジ板４３の厚さ、枚数、ならびに硬さは、症状に合わせた必要な押圧力や、患者の好みによって選択できる。したがって、病状の変化や患者の好みに応じて、患部への押圧力を容易に変更することができ
【００３２】
また、押さえパッド４の平面視の形状は楕円形に限らず、円形など、症状に合わせた範囲を押圧する任意の形状を使うことができる。
【００３３】
本考案によって、患部を確実に必要な力で押圧できて、同時に着装しやすく、ずれにくく、付け心地の良い鼠径ヘルニア用ベルトを提供できた。
【産業上の利用可能性】
【００３４】
本考案は、特に押さえパッドは鼠径ヘルニア用だけでなく、ストーマヘルニア用ベルトに利用できる。
【符号の説明】
【００３５】
１    鼠径ヘルニア用ベルト
１０  ウェストベルト
１１  ウェストベルト係止部
１２  ウェストベルト折り返し部
２１  右股下ベルト
２２  左股下ベルト
２３  股下ベルト係止部
２４  ベルト間係止部
２５  股下ベルト折り返し部
３    腹部面板
４    押さえパッド
４１  うちあわせ部
４２  押さえパッド接着部
４３  スポンジ板
【図１】
0003185127.tif 000003
【図２】
0003185127.tif 000004
【図３】
0003185127.tif 000005